(57)【特許請求の範囲】
【請求項１】
メディアゲートウェイを制御可能な交換機に、
現在の既存通話呼のターミネーションのプロパティと現在保留している第２着信呼のターミネーションのプロパティとを入れ替えるよう前記メディアゲートウェイを制御するパス制御手段を有し、
前記パス制御手段は、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記パス制御手段は、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御することを特徴とするパス制御システム。
【請求項２】
メディアゲートウェイを制御可能な交換機であって、
現在の既存通話呼のターミネーションのプロパティと現在保留している第２着信呼のターミネーションのプロパティとを入れ替えるよう前記メディアゲートウェイを制御するパス制御手段を有し、
前記パス制御手段は、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記パス制御手段は、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御することを特徴とする交換機。
【請求項３】
メディアゲートウェイを制御可能な交換機が、
現在の既存通話呼のターミネーションのプロパティと現在保留している第２着信呼のターミネーションのプロパティとを入れ替えるよう前記メディアゲートウェイを制御するパス制御処理を実行し、
前記交換機が、前記パス制御処理において、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記交換機が、前記パス制御処理において、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御することを特徴とするパス制御方法。
【発明の詳細な説明】
【技術分野】
【０００１】
本発明はパス制御システム、交換機及びそれらに用いるパス制御方法に関し、特にＭＥＧＡＣＯ上のパス制御に関する。
【背景技術】
【０００２】
本発明に関連する交換機においては、発着分離を実現しており、この交換機上での可聴音制御を図３を参照して説明する。図３において、交換機５では、発信／着信の端子を示す論理端子（ｃｏｍｎ）５１と論理端子（ｃｏｍｎ）５２との間をつなぐ第１の論理部局間中継（ＬＩＯＴ）５４を制御し、発信／着信の通話パス制御を行っている。
【０００３】
また、図３において、交換機５では、着信の端子を示す論理端子（ｃｏｍｎ）５３と論理的な可聴音５６とをつなぐ第２の論理部局間中継（ＬＩＯＴ）５５を制御し、可聴音と着信との通話パス制御を行っている。
【０００４】
さらに、図３において、交換機５では、割り込み通話、つまり通話中に第三者から掛かってきた呼の着信通知を通話中のサービス保有者に行うサービス等を含む呼切替えが発生する場合、発側の論理ｃｏｍｎのコネクションを第２の論理部局間中継（ＬＩＯＴ）５５へ切替えることによって、第三者と通話中のサービス保有者との呼が確立するように管理している。
【０００５】
下記の非特許文献１においては、「Ａ  Ｔｅｒｍｉｎａｔｉｏｎ  ｍａｙ  ｂｅ  ｒｅｍｏｖｅｄ  ｆｒｏｍ  ａ  Ｃｏｎｔｅｘｔ  ｗｉｔｈ  ａ  Ｓｕｂｔｒａｃｔ  ｃｏｍｍａｎｄ，ａｎｄ  ａ  Ｔｅｒｍｉｎａｔｉｏｎ  ｍａｙ  ｂｅ  ｍｏｖｅｄ  ｆｒｏｍ  ｏｎｅ  Ｃｏｎｔｅｘｔ  ｔｏ  ａｎｏｔｈｅｒ  ｗｉｔｈ  ａ  Ｍｏｖｅ  ｃｏｍｍａｎｄ．」（以下、「記述１」とする）、「Ｍｅｄｉａ  ｇａｔｅｗａｙｓ  ｔｈａｔ  ｓｕｐｐｏｒｔ  ｍｕｌｔｉｐｏｉｎｔ  ｃｏｎｆｅｒｅｎｃｅｓ  ｍｉｇｈｔ  ａｌｌｏｗ  ｔｈｒｅｅ  ｏｒ  ｍｏｒｅ  ｔｅｒｍｉｎａｔｉｏｎｓ  ｐｅｒ  Ｃｏｎｔｅｘｔ．」（以下、「記述２」とする）の記述から、ターミネーション（Ｔｅｒｍｉｎａｔｉｏｎ）のコンテキスト（Ｃｏｎｔｅｘｔ）間の移動、コンテキスト内における最大ターミネーション数が３つ以上であることが任意となっている。
【０００６】
そのため、ＲＦＣ（Ｒｅｑｕｅｓｔ  Ｆｏｒ  Ｃｏｍｍｅｎｔｓ）３０１５を準拠していても、ターミネーションのコンテキスト間の移動が禁止、もしくはコンテキスト内における最大ターミネーション数が２つとして実装されるＭＧ（Ｍｅｄｉａ  Ｇａｔｅｗａｙ：メディアゲートウェイ）製品が存在する。
【０００７】
このことから、論理的発着分離を実現する交換機のパス制御部において、ＡＣＴ／ＨＯＬＤ切替え発生時に、ターミネーションのコンテキスト間移動を行うこと、もしくはコンテキスト間にターミネーションを３つ以上介在させて他のターミネーションとのアソシエーションを実現することは、要求するＭＧの製品仕様に因って可否が決定される。
【０００８】
ここで、ＡＣＴとは、呼接続の状態がサービス保有者端末とのアソシエーションを確立している状態を指し、ＨＯＬＤとは、サービス保有者端末の呼び出し中または割り込み後の保留中にある状態を指している。二つの端末に相互にＡＣＴとＨＯＬＤとの切替えが発生した時は、ＡＣＴ／ＨＯＬＤ切替えと呼ばれている。
【０００９】
さらに、ターミネーションのコンテキスト間移動を行うこと、コンテキスト間に３つ以上介在させて他のターミネーションとのアソシエーションを実現することの方法以外に、コンテキストとターミネーションとの削除を経て、再度コンテキストとターミネーションとを生成する方法がある。
【００１０】
しかしながら、この方法では、リソース削除後の再確保と同時に、他の呼による同じリソース利用により混線状態に陥る可能性がある。また、この方法では、リソース削除後に新規呼発生による要求リソース数が現在の空きリソース数を超えた場合に全てビジー状態になる可能性がある。
【００１１】
ＭＧの制御側と、ＭＧ自体とは別のノードで構成されることが多く、通信網の運用の際にＭＧの実装している仕様に合わせてＭＧの制御方法を適時変更することは難しい。
【００１２】
【非特許文献１】“Ｍｅｇａｃｏ  Ｐｒｏｔｏｃｏｌ  Ｖｅｒｓｉｏｎ  １．０  ６．１  Ｃｏｎｔｅｘｔｓ”（ＲＦＣ３０１５，ｐｐ．１４−１５，Ｎｏｖｅｍｂｅｒ  ２０００）
【発明の開示】
【発明が解決しようとする課題】
【００１３】
しかしながら、上記のような交換機システムでは、ユーザプレーン／コントロールプレーンとを、ＲＦＣ３０１５にあるようにＭＧとパス制御部とに分けた場合、パス制御部では次のような課題がある。
【００１４】
ＭＧを経由して実現する場合には、ＲＦＣ３０１５にて規定されるＭＧＣ（Ｍｅｄｉａ  Ｇａｔｅｗａｙ  Ｃｏｎｔｒｏｌｉｅｒ：メディアゲートウェイコントローラ）によって制御されるＭＧの論理エンティティであるコネクションモデルコンテキスト内のターミネーションを第三者と可聴音接続用コンテキストとに移動させることがある。
【００１５】
この場合には、ＲＦＣ３０１５の「記述１」を必要最小限に満たすＭＧ製品であれば、ターミネーションのコンテキスト間移動ができないため、割り込み通話等のサービスを実現することができないという第１の課題がある。
【００１６】
ＭＧを経由して実現する場合には、同一コンテキスト内にターミネーションを３つ介在させ、同一コンテキスト内のターミネーションを切替える方法が考えられる。しかしながら、この方法では、ＲＦＣ３０１５の「記述２」を必要最小限に満たすＭＧ製品であれば、同一コンテキスト内のターミネーションを３つ以上介在させることができないため、割り込み通話等のサービスを実現することができないという第２の課題がある。
【００１７】
上記の第１の課題及び第２の課題にあるＭＧの最小限に十分に満たすＭＧ製品を経由して実現する場合においては、一旦保持しているコンテキスト、ターミネーションを削除し、新たに切替え後のイメージのコンテキスト、ターミネーションを作成しなければならないず、ＭＧＣでリソースをクリア後、再度、同じリソースを使用するよう制御する方法がある。しかしながら、この方法では、その間に他の呼を接続するために同じリソースを利用しようとすると、混線状態に陥る可能性が生じるという第３の課題がある。
【００１８】
上記の第１の課題及び第２の課題にあるように、ＲＦＣ３０１５を必要最小限に満たすＭＧ製品を経由して実現する場合においては、一旦保持しているコンテキスト、ターミネーションを削除し、新たに切替え後のイメージのコンテキスト、ターミネーションを作成しなければならず、リソースをクリア後、再度、同じリソースを使用するよう制御する方法がある。しかしながら、この方法では、その間に空きリソース以上の呼を接続するために、空きリソースを利用しようとすると、全てビジー状態に陥る可能性が生じ、当初目的のＡＣＴ／ＨＯＬＤ切替えを実現することができなくなるという第４の課題がある。
【００１９】
そこで、本発明の目的は上記の問題点を解消し、ＭＧ製品仕様に関わらずＡＣＴ／ＨＯＬＤ切り替えを行うことができるパス制御システム、交換機及びそれらに用いるパス制御方法を提供することにある。
【課題を解決するための手段】
【００２０】
本発明によるパス制御システムは、メディアゲートウェイを制御可能な交換機に、
現在の既存通話呼のターミネーションのプロパティと現在保留している第２着信呼のターミネーションのプロパティとを入れ替えるよう前記メディアゲートウェイを制御するパス制御手段を備え、
前記パス制御手段は、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記パス制御手段は、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御している。
【００２１】
本発明による交換機は、メディアゲートウェイを制御可能な交換機であって、
現在の既存通話呼のターミネーションのプロパティと現在保留している第２着信呼のターミネーションのプロパティとを入れ替えるよう前記メディアゲートウェイを制御するパス制御手段を備え、
前記パス制御手段は、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記パス制御手段は、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御している。
【００２２】
本発明によるパス制御方法は、メディアゲートウェイを制御可能な交換機が、
現在の既存通話呼のターミネーションのプロパティと現在保留している第２着信呼のターミネーションのプロパティとを入れ替えるよう前記メディアゲートウェイを制御するパス制御処理を実行し、
前記交換機が、前記パス制御処理において、サービス保有者端末の呼び出し中または割り込み後の保留中にある状態を示すＨＯＬＤ状態のターミネーションの接続先情報で、呼接続の状態が前記サービス保有者端末とのアソシエーションを確立している状態を示すＡＣＴ状態のターミネーションの接続情報を書き換えるよう前記メディアゲートウェイを制御し、
前記交換機が、前記パス制御処理において、前記既存通話呼のターミネーションのプロパティの接続先ＩＰ（Ｉｎｔｅｒｎｅｔ  Ｐｒｏｔｏｃｏｌ）アドレスを含む情報と、前記第２着信呼のターミネーションのプロパティの接続先ＩＰアドレスを含む情報とを入れ替えるよう前記メディアゲートウェイを制御している。
【発明の効果】
【００２３】
本発明は、上記のような構成及び動作とすることで、ＭＧ製品仕様に関わらず、ＡＣＴ／ＨＯＬＤ切替えを行うことができるという効果が得られる。
【発明を実施するための最良の形態】
【００２４】
次に、本発明の実施の形態について図面を参照して説明する。まず、本発明によるパス制御の概念について説明する。本発明では、既存通話用コンテキスト（Ｃｏｎｔｅｘｔ）内のＩＰ（Ｉｎｔｅｒｎｅｔ  Ｐｒｏｔｏｃｏｌ）側ターミネーション（Ｔｅｒｍｉｎａｔｉｏｎ）のプロパティの接続先ＩＰアドレスと、可聴音と接続されるコンテキスト内のターミネーションのプロパティの接続先ＩＰアドレスを入れ替えるようにパス制御を行う。
【００２５】
本発明では、ＨＯＬＤ状態のターミネーションの接続先情報で、ＡＣＴ状態のターミネーションの接続情報を書換えることで、アソシエーションを保持したまま、ストリーム（Ｓｔｒｅａｍ）の接続先を変更することが可能になり、制約のあるＭＧ（Ｍｅｄｉａ  Ｇａｔｅｗａｙ：メディアゲートウェイ）に対してＡＣＴ／ＨＯＬＤ切替えのパス制御を実現することができる。
【００２６】
ここで、ＡＣＴ状態とは、呼接続の状態が、サービス保有者端末とのアソシエーションを確立している状態であり、ＨＯＬＤとは、呼接続の状態が、サービス保有者端末の呼び出し中または割り込み後の保留中にある状態である。また、二つの端末に相互にＡＣＴ状態とＨＯＬＤ状態との切替えが発生した時をＡＣＴ／ＨＯＬＤ切替えと呼ぶものとする。
【００２７】
本発明は、ＲＦＣ（Ｒｅｑｕｅｓｔ  Ｆｏｒ  Ｃｏｍｍｅｎｔｓ）３０１５（非特許文献１の「記述１」及び「記述２」）を最低限準拠したＭＧにおいて、ターミネーションのコンテキスト間移動の禁止、同一コンテキスト内の３つ以上のターミネーションの介在禁止が制約事項となるため、ターミネーションが３つ以上となるサービス、例えば割り込みサービス等を実現することができなくなるのを回避することを特徴としている。
【００２８】
割り込みサービス実現には、端末Ａと端末Ｂとの既存通話呼と、端末Ｃが発呼して保留している第２着信呼で、それぞれのコンテキスト、またはターミネーションのＡＣＴ／ＨＯＬＤ切替えが必要になる。その制御方法としては、同一コンテキスト内でアソシエーションの切替えや、既存通話呼コンテキスト内のターミネーションを第２着信呼コンテキスト内へ移動してアソシエーションを行う方法が、接続するＭＧが上記制限を含む場合には実現不可となる。
【００２９】
また、上記の制限を回避する制御方法としては、一旦既存呼及び第２着信呼のコンテキスト／ターミネーションをクリアし、クリア前の構成を元に同じ回線リソースを使って端末Ａと端末Ｃとのコンテキスト／ターミネーションを作成し、アソシエーションを確立させる制御方法がある。
【００３０】
しかしながら、同じ回線リソースの再確保処理が完了するまでの間において、リソースはフリーの状態にあるため、他の呼によって該当リソースが割り当てられる可能がある。その結果、同じ回線リソースの再確保ができなくなる、またはリソースが２重で使用されるために混線する可能性があるという問題がある。
【００３１】
本発明では、ＭＧリソースを解放・再確保せずにコンテキスト情報を入替えるようにＭＧを制御することによって、ＭＧの製品仕様制限を回避してＡＣＴ／ＨＯＬＤ切替えを実現することができる。つまり、本発明は、発着分離を実現する交換機システムのパス制御を応用し、接続するＭＧ製品仕様制限を回避したＡＣＴ／ＨＯＬＤ切替えを実現することにある。
【００３２】
図１は本発明の第１の実施の形態によるパス制御システムの動作を示す図であり、図２は本発明の第１の実施の形態によるパス制御システムのパス制御後の状態を示す図である。図１において、本発明の第１の実施の形態によるパス制御システムは、パス制御部を含む交換機［ＭＧＣ（Ｍｅｄｉａ  Ｇａｔｅｗａｙ  Ｃｏｎｔｒｏｌｉｅｒ：メディアゲートウェイコントローラ）］１と、ＭＧ２〜４と、端末（ＭＳ：Ｍｏｂｉｌｅ  Ｓｔａｔｉｏｎ）Ａ〜Ｃとから構成されている。
【００３３】
パス制御部１１は、既存通話呼用コンテキスト（Ｃｏｎｔｅｘｔ  Ｃ１）２３及びターミネーション（Ｔｅｒｍ．Ｔ１）２４と、第２着信呼用コンテキスト（Ｃｏｎｔｅｘｔ  Ｃ２）２１及びターミネーション（Ｔｅｒｍ．Ｔ３）２２との呼接続１０１をＭＧ２に用意している。端末Ｂと端末Ｃとの呼接続の状態は、サービス保有者端末Ａとのアソシエーションを確立している状態（ＡＣＴ状態）と、サービス保有者端末Ａの呼び出し中または割り込み後の保留中にある状態（ＨＯＬＤ状態）とに分類することができる。
【００３４】
パス制御部１１は、端末Ｂと端末Ｃとに相互にＡＣＴ／ＨＯＬＤ切替えが発生した時に第２着信呼用コンテキスト２１内のターミネーション２２の接続先情報を、既存通話呼用コンテキスト２３内の切替え対象のターミネーション２４の接続先情報に反映する。
【００３５】
その後、パス制御部１１は、通話呼用コンテキスト２３内の切替え対象のターミネーション２４の元の接続先情報を第２着信呼用コンテキスト２１内のターミネーション２２の接続先情報に反映し、通話パスを切替える。このパス制御後の呼接続の状態を図２に示す。
【００３６】
このように、本実施の形態では、ＭＧリソースを解放・再確保せずに、コンテキスト情報を入れ替えるようにＭＧを制御することで、ＭＧの製品仕様制限を回避して、ＡＣＴ／ＨＯＬＤ切替えを行うことができる。つまり、本実施の形態では、発着分離を実現する交換機システムのパス制御を応用することで、接続するＭＧ製品仕様制限を回避して、ＡＣＴ／ＨＯＬＤ切替えを実現することができる。
【００３７】
図３は本発明の第１の実施の形態による交換機の２者間の通話パス制御を行う基本コネクションモデルを示す図である。図３において、交換機５では、発信／着信の端子を示す論理端子（ｃｏｍｎ）５１〜５３と、論理端子間をつなぐ論理部局間中継（ＬＩＯＴ）５４，５５とを制御し、発信／着信のコントロールプレーンでの通話パス制御を行う。可聴音５６は、論理上の設定であり、物理的な音源はＭＧ２において所有または他の音源所有ノードとの接続をしている。
【００３８】
図４は図１に示す交換機１におけるＭＧへの通話パス制御のための機能を示すブロック図である。図４において、交換機１は、パス制御部１１と、Ｃｏｎｔｅｘｔ管理部１２と、ＳＤＰ（Ｓｅｓｓｉｏｎ  Ｄｅｓｃｒｉｐｔｉｏｎ  Ｐｒｏｔｏｃｏｌ）バッファ１３と、ＭＥＧＡＣＯ制御部１４とを備えている。
【００３９】
パス制御部１１は、論理端子（ｃｏｍｎ）と論理部局間中継（ＬＩＯＴ）との論理的なコネクションを制御し、ＭＧにおける通話パス制御とマッピングとを行わせるために、Ｃｏｎｔｅｘｔ管理部１２を呼び出す。
【００４０】
Ｃｏｎｔｅｘｔ管理部１２においては、コンテキスト毎のＳＤＰバッファ１３の情報を管理し、ＭＥＧＡＣＯ制御部１４にＳＤＰ情報、コンテキスト情報等を渡す。ＭＥＧＡＣＯ制御部１４では、受け取った情報を基にＭＧへコンテキストとターミネーションとを操作する信号を送信する。
【００４１】
図５は本発明の第１の実施の形態によるＭＧのコネクションモデルを示す図である。図５において、既存通話呼用コンテキスト（Ｃｏｎｔｅｘｔ  Ｃ１）２３内のＴｅｒｍｉｎａｔｉｏｎ  ＩＤ＝Ｔ１によって識別されるＲＴＰ（Ｒｅａｌ−ｔｉｍｅ  Ｔｒａｎｓｐｏｒｔ  Ｐｒｏｔｏｃｏｌ）フローを表すターミネーション２４及びＴｅｒｍｉｎａｔｉｏｎ  ＩＤ＝Ｔ２によって識別されるＳＴＭ（Ｓｙｎｃｈｒｏｎｏｕｓ  Ｔｒａｎｓｐｏｒｔ  Ｍｏｄｕｌｅ）フローを表すターミネーション２５は、端末Ａと端末Ｂとの通話パスを示す。
【００４２】
可聴音源２６は物理的な可聴音源を示しており、第２着信呼用コンテキスト（Ｃｏｎｔｅｘｔ  Ｃ２）２１内のＴｅｒｍｉｎａｔｉｏｎ  ＩＤ＝Ｔ３によって識別されるＲＴＰフローを表すターミネーション２２により、端末Ｃと可聴音源２６とのアソシエーションが確立していることを示す。
【００４３】
図５において、既存通話呼用コンテキスト（Ｃｏｎｔｅｘｔ  Ｃ１）２３内のＴｅｒｍｉｎａｔｉｏｎ  ＩＤ＝Ｔ１のＩＰ側ターミネーション接続先のＩＰアドレスは、端末Ｂ側のＩＰアドレスであるＢを示している（Ｒｅｍｏｔｅ：Ｂ）。また、第２着信呼用コンテキスト（Ｃｏｎｔｅｘｔ  Ｃ２）２１内のＴｅｒｍｉｎａｔｉｏｎ  ＩＤ＝Ｔ３のＩＰ側ターミネーション接続先のＩＰアドレスは、端末Ｃ側のＩＰアドレスであるＣを示している（Ｒｅｍｏｔｅ：Ｃ）。また、第２着信呼用コンテキスト（Ｃｏｎｔｅｘｔ  Ｃ２）２１内の可聴音源２６は可聴音を聞かせるための音源を示している。
【００４４】
以上、本発明の第１の実施の形態によるパス制御システムの構成例について述べたが、図５に示すＭＧ２のコネクションモデルは、当業者にとってよく知られており、また本発明とは直接関係しないので、その詳細な構成の図示及び説明は省略する。尚、本実施の形態では、可聴音源２６として、外部に音源を持っていてもよい。
【００４５】
図６は本発明の第１の実施の形態による交換機１のＡＣＴ／ＨＯＬＤ切替え時の動作を示すフローチャートである。これら図１〜図６を参照して交換機１のＡＣＴ／ＨＯＬＤ切替え時の動作について説明する。
【００４６】
パス制御部１１は、ＡＣＴ／ＨＯＬＤ切替え処理開始トリガが与えられると、ＡＣＴ／ＨＯＬＤ切替え処理を開始し、パス接続要求をＣｏｎｔｅｘｔ管理部１２に通知する（図６ステップＳ１）。
【００４７】
Ｃｏｎｔｅｘｔ管理部１２は、パス接続要求を受けると、既存呼パス制御におけるコンテキスト／ターミネーション情報検索を行い（図６ステップＳ２）、ＳＤＰバッファ１３からコンテキスト／ターミネーション情報を取得する（図６ステップＳ３）。Ｃｏｎｔｅｘｔ管理部１２は、コンテキスト／ターミネーション情報を取得した後、そのコンテキスト／ターミネーション情報をパス制御部１１に渡す。
【００４８】
パス制御部１１は、コンテキスト／ターミネーション情報を基にＭＥＧＡＣＯ送信要求を行い、そのコンテキスト／ターミネーション情報をＭＥＧＡＣＯ制御部１４に供給する。
【００４９】
ＭＥＧＡＣＯ制御部１４は、コンテキスト／ターミネーション情報を基にＴｅｒｍｉｎａｔｉｏｎ  ＩＤ＝Ｔ１で認識されるターミネーション２４のプロパティの１項目であるＲｅｍｏｔｅＩＰ：Ｂを、現在のＴｅｒｍｉｎａｔｉｏｎ  ＩＤ＝Ｔ３で認識されるターミネーション２２のプロパティの１項目であるＲｅｍｏｔｅＩＰのＩＰアドレスＣに変更するよう、ＭＧ２へコンテキスト／ターミネーション更新信号を送出する（図６ステップＳ４）。
【００５０】
その後、パス制御部１１は、パス接続要求をＣｏｎｔｅｘｔ管理部１２に通知する（図６ステップＳ５）。Ｃｏｎｔｅｘｔ管理部１２は、第２着信呼パス制御におけるコンテキスト／ターミネーション情報検索を行い（図６ステップＳ６）、ＳＤＰバッファ１３からコンテキスト／ターミネーション情報を取得する（図６ステップＳ７）。Ｃｏｎｔｅｘｔ管理部１２は、コンテキスト／ターミネーション情報を取得した後、そのコンテキスト／ターミネーション情報をパス制御部１１に渡す。
【００５１】
パス制御部１１は、コンテキスト／ターミネーション情報を基にＭＥＧＡＣＯ送信要求を行い、そのコンテキスト／ターミネーション情報をＭＥＧＡＣＯ制御部１４に供給する。
【００５２】
ＭＥＧＡＣＯ制御部１４は、コンテキスト／ターミネーション情報を基にＴｅｒｍｉｎａｔｉｏｎ  ＩＤ＝Ｔ３で認識されるターミネーション２２のプロパティの１項目であるＲｅｍｏｔｅＩＰ：Ｃを、更新前のＴｅｒｍｉｎａｔｉｏｎ  ＩＤ＝Ｔ１で認識されるターミネーション２４のプロパティの１項目であるＲｅｍｏｔｅＩＰのＩＰアドレスＢに変更するよう、ＭＧ２へコンテキスト／ターミネーション更新信号を送出する（図６ステップＳ８）。
【００５３】
このように、本実施の形態では、ターミネーションのプロパティを入れ替えることで、ＲＦＣ３０１５の「記述１」を最小限に十分に満たす同一コンテキスト内のターミネーションを３つ以上介在させることはできないＭＧ製品であっても、ＡＣＴ／ＨＯＬＤ切替えが可能になり、割り込み通話等のサービスを実現することができる。
【００５４】
また、本実施の形態では、ターミネーションのプロパティを入れ替えることで、ＲＦＣ３０１５の「記述２」を最小限に十分に満たすコンテキスト内のターミネーションを既存通話呼用コンテキストから第２呼着信呼用コンテキストへと移動させることができないＭＧであっても、ＡＣＴ／ＨＯＬＤ切替えが可能になり、割り込み通話等のサービスを実現することができる。
【００５５】
さらに、本実施の形態では、ＭＧ製品仕様に関わらず、ＡＣＴ／ＨＯＬＤ切替えが可能となるため、ＭＧＣでリソースをクリア後、再度、同じリソースを使用するよう制御する方法における混線状態を回避することができる。この制御方法は、３つ以上のターミネーションの介在不可、別のコンテキストへのターミネーションの移動不可等の製品仕様によって制限されるＭＧを経由する場合の対処として行われる。
【００５６】
つまり、この制御方法では、一旦保持しているコンテキスト、ターミネーションを削除し、新たに切替え後のイメージのコンテキスト、ターミネーションを作成し、ＭＧＣでリソースをクリア後、再度、同じリソースを使用するよう制御している。上記の混戦状態は、この間に他の呼を接続し、同じリソースを利用しようとしたために起こり得る。
【００５７】
さらにまた、本実施の形態では、ＭＧ製品仕様に関わらずＡＣＴ／ＨＯＬＤ切替えが可能となるため、高い相互接続性を維持することができる。同時に、本実施の形態では、ＭＧ製品仕様に関わらずＡＣＴ／ＨＯＬＤ切替えが可能となるため、回線運用者にとって製品の設置や置き換え等の運用が容易になる。
【００５８】
本発明の第２の実施の形態として、その基本的構成は上記の通りであるが、ＡＣＴ／ＨＯＬＤ切替え時のターミネーション変更要求についてさらに工夫している。本発明の第２の実施の形態による交換機の構成は、図４に示す本発明の第１の実施の形態による交換機１と同様である。ＭＧ−ＭＧ間がＡＴＭ（Ａｓｙｎｃｈｒｏｎｏｕｓ  Ｔｒａｎｓｆｅｒ  Ｍｏｄｅ）網で構成される場合、変更箇所はＶＰＩ（Ｖｉｒｔｕａｌ  Ｐａｔｈ  Ｉｄｅｎｔｉｆｉｅｒ）やＶＣＩ（Ｖｉｒｔｕａｌ  Ｃｈａｎｎｅｌ  Ｉｄｅｎｔｉｆｉｅｒ）、ＣｈＮｏで接続先の変更を行うことができる。
【００５９】
このように、本実施の形態では、ＡＣＴ／ＨＯＬＤ切替え時のターミネーションのプロパティを変更することで、サービスに合わせてパス接続要求がＭＧ製品仕様に関わらずに行えるという効果が得られる。
【００６０】
図７は本発明の第３の実施の形態によるパス制御システムの動作例を示す図である。図７において、本発明の第３の実施の形態によるパス制御システムでは、Ｔｅｒｍｉｎａｔｉｏｎ  ＩＤ＝Ｔ２によって識別されるターミネーション２５を、既存通話呼用コンテキスト（Ｃｏｎｔｅｘｔ  Ｃ１）２３内から第２着信呼用コンテキスト（Ｃｏｎｔｅｘｔ  Ｃ２）２１内に移動させるように、パス制御部１１からＭＧ２にＭＥＧＡＣＯ信号を送信している。
【００６１】
このように、本実施の形態では、ＡＣＴ／ＨＯＬＤ切替え時のターミネーションのプロパティを変更することで、サービスに合わせてパス接続要求がＭＧ製品仕様に関わらずに行えるという効果が得られる。
【００６２】
図８は本発明の第４の実施の形態によるパス制御システムの動作例を示す図である。図８において、本発明の第４の実施の形態によるパス制御システムでは、既存通話呼用コンテキスト（Ｃｏｎｔｅｘｔ  Ｃ１）２３及び第２着信呼用コンテキスト（Ｃｏｎｔｅｘｔ  Ｃ２）２１内のターミネーション間のメディアのフローを表すトポロジー（Ｔｏｐｏｌｏｇｙ）を、「ターミネーション２５（Ｔｅｒｍ．Ｔ２）−ターミネーション２４（Ｔｅｒｍ．Ｔ１）」から「ターミネーション２５（Ｔｅｒｍ．Ｔ２）−ターミネーション２２（Ｔｅｒｍ．Ｔ３）」に変更するように、パス制御部１１からＭＧ２にＭＥＧＡＣＯ信号を送信している。
【００６３】
このように、本実施の形態では、ＡＣＴ／ＨＯＬＤ切替え時のターミネーションのプロパティを変更することで、サービスに合わせてパス接続要求がＭＧ製品仕様に関わらずに行えるという効果が得られる。
【産業上の利用可能性】
【００６４】
本発明は、通信網においての呼切替えが発生するサービスを提供するシステムに適用可能である。
【図面の簡単な説明】
【００６５】
【図１】本発明の第１の実施の形態によるパス制御システムの動作を示す図である。
【図２】本発明の第１の実施の形態によるパス制御システムのパス制御後の状態を示す図である。
【図３】本発明の第１の実施の形態による交換機の２者間の通話パス制御を行う基本コネクションモデルを示す図である。
【図４】図１に示す交換機におけるＭＧへの通話パス制御のための機能を示すブロック図である。
【図５】本発明の第１の実施の形態によるＭＧのコネクションモデルを示す図である。
【図６】本発明の第１の実施の形態による交換機のＡＣＴ／ＨＯＬＤ切替え時の動作を示すフローチャートである。
【図７】本発明の第３の実施の形態によるパス制御システムの動作例を示す図である。
【図８】本発明の第４の実施の形態によるパス制御システムの動作例を示す図である。
【符号の説明】
【００６６】
１  交換機
２〜４  メディアゲートウェイ
１１  パス制御部
１２  Ｃｏｎｔｅｘｔ管理部
１３  ＳＤＰバッファ
１４  ＭＥＧＡＣＯ制御部
２１  第２着信呼用コンテキスト（Ｃｏｎｔｅｘｔ  Ｃ２）
２２，２４，２５  ターミネーション
２３  既存通話呼用コンテキスト（Ｃｏｎｔｅｘｔ  Ｃ１）
２６  可聴音源
Ａ〜Ｃ  端末
【図１】
0005088172.tif 000002
【図２】
0005088172.tif 000003
【図３】
0005088172.tif 000004
【図４】
0005088172.tif 000005
【図５】
0005088172.tif 000006
【図６】
0005088172.tif 000007
【図７】
0005088172.tif 000008
【図８】
0005088172.tif 000009